(57)【特許請求の範囲】
【請求項１】
矩形状を呈しＩＣチップおよびアンテナを備えたＲＦＩＤ内蔵の第一のラベル片、並びにこの第一のラベル片に対し、折れ線を介して各々直角方向に連接され、かつ、ＩＣチップおよびアンテナを各々に備えたＲＦＩＤ内蔵の第二及び第三のラベル片にてラベル本体を形成するとともに、
該ラベル本体を台紙にほぼ等間隔に仮着して成るＲＦＩＤ連続体。
【請求項２】
ＩＣチップおよびアンテナを備えたＲＦＩＤが内蔵され矩形状を呈した第一のラベル片、並びにこの第一のラベル片に対し、折れ線を介して各々直角方向に連接され各々にＲＦＩＤが内蔵された第二及び第三のラベル片にて形成されたラベル本体を台紙にほぼ等間隔に仮着して成るＲＦＩＤ連続体を装着する供給軸と、
位置決めされた前記ラベル片のＲＦＩＤに対する読込み・書込みを行うためのアンテナを、少なくともＲＦＩＤ連続体の搬送方向に交差する方向で２つ設けた書込み装置と、
前記ＲＦＩＤ連続体のラベル片に所望の印字を行うサーマルヘッドを備えた印字部と、を備えた印字発行装置を用い、
前記供給軸よりＲＦＩＤ連続体を搬送方向に繰出しながらラベル片のＲＦＩＤに情報の書込みを行なうとともに、各ラベル片に印字を施す印字発行方法であって、
前記位置決めされた前記ラベル片に対峙する書込み装置のアンテナを介して前記ラベル片に内蔵された各々のＲＦＩＤに情報を書込み、かつ、
前記サーマルヘッドを介して前記各ラベル片に所望の情報を印字することを特徴とする印字発行方法。
【請求項３】
前記書込み装置は、隣り合ったアンテナ間に電磁波を遮断するシールド部材を設けるとともに、前記アンテナの交信領域を対峙する前記ラベル片のみとすることを特徴とする請求項２に記載の印字発行方法。
【請求項４】
ＩＣチップおよびアンテナを備えたＲＦＩＤが内蔵され矩形状を呈した第一のラベル片、並びにこの第一のラベル片に対し、折れ線を介して各々直角方向に連接されＲＦＩＤ内蔵の第二及び第三のラベル片にて形成されたラベル本体を台紙にほぼ等間隔に仮着して成るＲＦＩＤ連続体を装着する供給軸と、
位置決めされたラベル本体の前記ラベル片のＲＦＩＤに対する読込み・書込みを行うためのアンテナを、前記ラベル本体の中心部位に対峙すべく設けた書込み装置と、
前記ＲＦＩＤ連続体のラベル片に所望の印字を行うサーマルヘッドを備えた印字部と、を備えた印字発行装置を用い、
前記供給軸よりＲＦＩＤ連続体を搬送方向に繰出しながらラベル片のＲＦＩＤに情報の書込みを行なうとともに、各ラベル片に印字を施す印字発行方法であって、
前記書込み装置にて各ラベル片のＲＦＩＤに対し前記アンテナを介して一斉に同じ情報を書込み、かつ、
前記サーマルヘッドを介して前記各ラベル片に所望の情報を印字することを特徴とする印字発行方法。
【請求項５】
前記書込み装置によるラベル片のＲＦＩＤへの読込み・書込み時、前記第一ないし第三のラベル片のうち、一つでも読込み・書込みができなかった場合、前記サーマルヘッドにおいて前記ラベル本体に使用不可の旨を印字することを特徴とする請求項４に記載の印字発行方法。
【発明の詳細な説明】
【技術分野】
【０００１】
本発明は、特に、段ボールなどの物品のコーナーに角貼りするという特殊な形態で使用するのに好適なＲＦＩＤ連続体およびその印字発行方法に関する。
【背景技術】
【０００２】
近年、ＲＦＩＤ（Ｒａｄｉｏ  Ｆｒｅｑｕｅｎｃｙ−Ｉｄｅｎｔｉｆｉｃａｔｉｏｎ）インレットといわれ、種々の情報を記憶するメモリチップに接続された通信用アンテナを備えたインレットを、種々の物品に貼付されるラベル（記録媒体）などに付設し、このＲＦＩＤインレットを用いて無線による非接触の自動識別を行なう技術が普及してきている（特許文献１の従来技術）。
しかしながら、上記非接触型ＩＣラベル（ＲＦＩＤインレットが付設されたラベル）に対して情報の書き込みあるいは読み出しを行う場合においては、情報書込／読出装置のアンテナと非接触型ＩＣラベルとを対向させなければならず、その相対角度に制約が生じてしまい、非接触型ＩＣラベルを物品等に貼付する場合、その貼付面が、情報書込／読出装置のアンテナが対向できる面に限定されてしまうという問題点があった。
そこで、情報書込／読出装置のアンテナとの相対角度、あるいは物品に貼付される場合にはその貼付面によらずに情報書込／読出装置との間における通信可能距離を一定にすることができるＲＦＩＤメディアが開発された（例えば、特許文献１参照）。
特許文献１のＲＦＩＤメディアによれば、ベース基材を、折り曲げ可能な折り線を介して複数の領域に分割し、それぞれの領域にてＩＣモジュールに対する情報の書き込み及び読み出しを行うためのアンテナを形成するようになっている。
しかしながら、特許文献１のＲＦＩＤメディアによれば、１個のＩＣモジュールより伸延させたアンテナを複数の領域に形成し、物流に使用されている段ボール箱などの物品に対し、物品の稜線に当接させた折り線にて折り曲げて貼付け・表示するため、特に、角貼り（コーナーへの貼付け）のように多数の折り曲げを行なうとアンテナが断線するおそれがあり、正常な情報の受信に支障をもたらしかねないという問題があった。
このため、物品の角（コーナー）に貼り付けても断線のおそれのないＲＦＩＤメディア（ＲＦＩＤ連続体）の開発が望まれた。
【特許文献１】特開２００３−２１６９１９号公報
【発明の開示】
【発明が解決しようとする課題】
【０００３】
本発明は、上記の問題点に着目して成されたものであり、物品のコーナーに角貼りするのに好適なＲＦＩＤ連続体およびその印字発行方法に関する。
【課題を解決するための手段】
【０００４】
本発明に係るＲＦＩＤ連続体は、矩形状を呈しＩＣチップおよびアンテナを備えたＲＦＩＤ内蔵の第一のラベル片、並びにこの第一のラベル片に対し、折れ線を介して各々直角方向に連接され、かつ、ＩＣチップおよびアンテナを各々に備えたＲＦＩＤ内蔵の第二及び第三のラベル片にてラベル本体を形成するとともに、該ラベル本体を台紙にほぼ等間隔に仮着して成ることを特徴とする。
また、第２の発明に係る印字発行方法は、ＩＣチップおよびアンテナを備えたＲＦＩＤが内蔵され矩形状を呈した第一のラベル片、並びにこの第一のラベル片に対し、折れ線を介して各々直角方向に連接され各々にＲＦＩＤが内蔵された第二及び第三のラベル片にて形成されたラベル本体を台紙にほぼ等間隔に仮着して成るＲＦＩＤ連続体を装着する供給軸と、位置決めされたラベル片のＲＦＩＤに対する読込み・書込みを行うためのアンテナを、少なくともＲＦＩＤ連続体の搬送方向に交差する方向で２つ設けた書込み装置と、ＲＦＩＤ連続体のラベル片に所望の印字を行うサーマルヘッドを備えた印字部と、を備えた印字発行装置を用い、供給軸よりＲＦＩＤ連続体を搬送方向に繰出しながらラベル片のＲＦＩＤに情報の書込みを行なうとともに、各ラベル片に印字を施す印字発行方法であって、位置決めされたラベル片に対峙する書込み装置のアンテナを介してラベル片に内蔵された各々のＲＦＩＤに情報を書込み、かつ、サーマルヘッドを介して各ラベル片に所望の情報を印字することを特徴とする。
また、書込み装置は、隣り合ったアンテナ間に電磁波を遮断するシールド部材を設けるとともに、アンテナの交信領域を対峙するラベル片のみとするようにできる。
更に、第３の発明に係る印字発行方法は、ＩＣチップおよびアンテナを備えたＲＦＩＤが内蔵され矩形状を呈した第一のラベル片、並びにこの第一のラベル片に対し、折れ線を介して各々直角方向に連接されＲＦＩＤ内蔵の第二及び第三のラベル片にて形成されたラベル本体を台紙にほぼ等間隔に仮着して成るＲＦＩＤ連続体を装着する供給軸と、位置決めされたラベル本体のラベル片のＲＦＩＤに対する読込み・書込みを行うためのアンテナを、ラベル本体の中心部位に対峙すべく設けた書込み装置と、ＲＦＩＤ連続体のラベル片に所望の印字を行うサーマルヘッドを備えた印字部と、を備えた印字発行装置を用い、供給軸よりＲＦＩＤ連続体を搬送方向に繰出しながらラベル片のＲＦＩＤに情報の書込みを行なうとともに、各ラベル片に印字を施す印字発行方法であって、書込み装置にて各ラベル片のＲＦＩＤに対しアンテナを介して一斉に同じ情報を書込み、かつ、サーマルヘッドを介して各ラベル片に所望の情報を印字することを特徴とする。
また、書込み装置によるラベル片のＲＦＩＤへの読込み・書込み時、第一ないし第三のラベル片のうち、一つでも読込み・書込みができなかった場合、サーマルヘッドを介してラベル本体に使用不可の旨を印字するようにできる。
【発明の効果】
【０００５】
本発明に係るＲＦＩＤ連続体は、矩形状を呈した第一のラベル片と、この第一のラベル片に対し、折れ線を介して各々直角方向に連接される第二及び第三のラベル片にてラベル本体を形成し、各ラベル片にはＲＦＩＤを備えるようにしたので、物品のコーナーに角貼りするのに好適なラベル本体が得られるという効果がある。
また、第２の発明に係る印字発行方法は、位置決めされた前記ラベル片のＲＦＩＤに対する読込み・書込みを行うためのアンテナを、少なくともＲＦＩＤ連続体の搬送方向に交差する方向で２つ設けた書込み装置を備え、位置決めされたラベル片に対峙する書込み装置のアンテナを介してラベル片に内蔵されたＲＦＩＤに情報を書込むようにし、第一ないし第三のラベル片のＲＦＩＤには、おのおの対峙するアンテナからの電磁波のみで送受信が行なわれるようにしたので、該当するラベル片の情報の書込みが確実になるという効果がある。
さらに、第３の発明に係る印字発行方法は、位置決めされたラベル本体のラベル片のＲＦＩＤに対する読込み・書込みを行うためのアンテナを、ラベル本体の中心部位に対峙すべく設けた書込み装置を備え、書込み装置にて各ラベル片のＲＦＩＤに対しアンテナを介して一斉に同じ情報を書込むようにしたので、３連のラベル片に短時間で同じ情報が書き込めるため、同一情報の書込みが確実に実現できるという効果がある。
【発明を実施するための最良の形態】
【０００６】
以下、本発明の一実施の形態を図１ないし図７に基づき説明する。
【０００７】
図１は、本発明のＲＦＩＤ連続体を示す平面の概略説明図である。
ＲＦＩＤ連続体１は、第一ないし第三のラベル片２、３、４にてラベル本体５が形成されており、ラベル本体５は、図示省略の粘着剤を介して台紙９にほほ等間隔に仮着されている。
第一のラベル片２に対し、第二のラベル片３は図１における上端、また、第三のラベル片４は同図における左端の、直角方向に各々隣接して連接されており、第一のラベル片２と、第二および第三のラベル片３、４間には、それぞれ折れ線１０が設けられている。
ラベル本体５の各ラベル片２、３、４には、ＩＣチップ６およびアンテナ７を備えたＲＦＩＤ８が内蔵されており、後述する「印字発行装置」にて表面に情報を印字するとともに、アンテナ７を介した送受信によりＩＣチップ６へ情報を書込む（記憶する）ようになっている。
なお、１１は、ラベル本体５のピッチを示す識別マークであり、この識別マーク１１は、台紙９の裏面に設けられている。
【０００８】
次に、図２に基づき、本発明の印字発行方法を実現するための印字発行装置の一例を説明する。
同図は、印字発行装置２１を側面より見た概略説明図であって、印字発行装置２１は、主に、供給軸２２と、印字部２３と、剥離手段としての剥離板２４と、台紙巻取り軸２５と、インクリボン部２６と、位置検出センサ２７と、書込み装置２８と、これら各部を制御する制御部２９とを備える。
【０００９】
供給軸２２は、前記ＲＦＩＤ８が内蔵されたラベル本体５を台紙９ごと巻回したＲＦＩＤ連続体１（図１参照）を回転可能に支持する。
印字部２３は、サーマルヘッド３０と、プラテン３１とを備え、この間を移送されるＲＦＩＤ連続体１の前記各ラベル片２、３、４上に所望の印字を施す。また、プラテン３１は、ベルト５０を介してステッピングモータ５１と接続されており、ステッピングモータ５１の回転がベルト５０を介してプラテン３１に伝わり、このプラテン３１と前記サーマルヘッド３０との間に挟持したＲＦＩＤ連続体１を搬送方向Ｆへ搬送するようになっている。
剥離板２４は、この剥離板２４において台紙９のみを転向と称する後方（搬送逆方向）への方向変換を行うことによりラベル本体５をＲＦＩＤ連続体１の台紙９より剥離する。
台紙巻取り軸２５は、ラベル本体５を剥離したあとの台紙９を、ガイドピン３７、３８を経て巻取る。
インクリボン部２６は、リボン供給部３２と、リボン巻取り部３３とを備え、リボン供給部３２に装着したインクリボン３４は、ガイドピン３５を経て前記サーマルヘッドの３０とプラテン３１との間に挟持し、ガイドピン３６を経てリボン巻取り部３３に巻き取る。
位置検出センサ２７は、発光部と受光部とを備えており、供給軸２２と印字部２３の間の搬送路３９における台紙９の裏面側に設けられ、前記ＲＦＩＤ連続体１の台紙９裏面の識別マーク１１を検出するようになっている。
なお、４５は、ガイドピンである。
【００１０】
次に、図３および図４に基づき、主に、書込み装置２８につき説明する。
図３は、書込み装置２８の概略斜視説明図、図４は、図３中、矢示ＩＶ方向より見た平面説明図を示す。
書込み装置２８は、搬送路３９における印字部２３の直前に設けられており、前記ＲＦＩＤ連続体１の第一ないし第三の各ラベル片２、３、４のＲＦＩＤ８に対する情報の書込みを行うための装置であり、アルミなどの非電磁性の材質で作製されている。この書込み装置２８には、２０〜３０ｍｍ程度の浅い穴状のアンテナ設置部４０が、縦２×横２の計４個形成されており、このアンテナ設置部４０の穴底にアンテナ４１（４１ａ〜４０ｄ）が設けられている。なお、アンテナ４１は、小型で交信範囲の狭いものとしてある。
また、アンテナ設置部４０は、前記ＲＦＩＤ連続体１の第一ないし第三の各ラベル片２、３、４にほぼ対応するよう配設されている。すなわち、主に、図４に示すように、ＲＦＩＤ連続体１が搬送方向Ｆに向けて搬送路３９を搬送されて位置決めされると、アンテナ４１ａが第一のラベル片２に、アンテナ４１ｂが第二のラベル片３に、また、アンテナ４１ｃが第三のラベル片４に、おのおの対峙するようになっており、かつ、アンテナ４１（４１ａ〜４１ｄ）がアルミ製のアンテナ設置部４０の浅い穴底に設けられていることから、穴の側壁部が交信電磁波を他のアンテナ４１の交信電磁波との干渉を遮断する「シールド部材」と成り得るものであり、しかも、アンテナ４１が交信範囲の狭いものとしてあることから、第一ないし第三のラベル片２、３、４のＲＦＩＤ８には、おのおの対峙するアンテナ４１ａ〜４１ｃからの電磁波のみで送受信が行なわれるようになっている。なお、「ラベル片」が存在しない箇所のアンテナ４１ｄを不作動にするなどの指定は、使用するラベル本体５の種類により自動、あるいは手動により、予め設定されるようになっている。
【００１１】
図２に戻って、制御部２９には、図示省略のＣＰＵや各種プログラムを備えたＲＯＭなどが備えられており、上記各部と接続されて上記書込み装置２８をはじめとする各部の制御を行うようになっている。
【００１２】
上記印字発行装置２１においては、供給軸２２に装着したＲＦＩＤ連続体１を搬送路３９に引き出し、ガイドピン４５を経て印字部２３のサーマルヘッド３０とプラテン３１の間に挟持し、剥離板２４にて台紙９のみを転向し、転向した台紙９は台紙巻取り軸２５に巻き付けてセットする。インクリボン３４は予めインクリボン部２６に装着されているものとする。
【００１３】
次に、主に、図５に基づき、印字発行装置２１の作動状態（印字発行方法）を説明する。
ステップＳ０１にて、ＲＦＩＤ連続体１を搬送する。すなわち、ステッピングモータ５１を回転し、ベルト５０を介してプラテン３１を回転し、供給軸２２より繰り出されサーマルヘッド３０との間に挟持したＲＦＩＤ連続体１を搬送路３９側へ搬送する。
ステップＳ０２にて、識別マーク１１を検出したかどうかを判定する。すなわち、搬送されているＲＦＩＤ連続体１の台紙９裏面の識別マーク１１が、搬送路３９に設けられた位置検出センサ２７にて検出されたか否かを検出し、検出されない場合はステップＳ０１に戻ってＲＦＩＤ連続体１の搬送を続け、一方、識別マーク１１を検出したときは、ステップＳ０３に行く。
ステップＳ０３にて、ラベル本体５を書込み装置２８に位置決めする（図４参照）。すなわち、第一のラベル片２に対峙する書込み装置２８のアンテナ４１ａ、第二のラベル片３に対峙するアンテナ４１ｂ、第三のラベル片４に対峙するアンテナ４１ｃにて、各ラベル片２、３、４のＩＣチップ６から図示省略の固有識別情報を読込み、読込めたラベル片２、３、４に対し、今度は所望の情報を書込むものであり、アンテナ４１（４１ａ〜４１ｄ）がアルミ製のアンテナ設置部４０の浅い穴底に設けられており、かつ、交信範囲の狭いものとしてあることから、第一ないし第三のラベル片２、３、４のＲＦＩＤ８には、おのおの対峙するアンテナ４１ａ〜４１ｃからの電磁波のみで送受信が行なわれる。なお、読込み／書込み時、対峙する「ラベル片」が存在しないアンテナ４１ｄは送受信用の電磁波を発信しないよう制御部２９を介して制御されている。また、ラベル片２、３、４の固有識別情報（図示省略）は連番とされており、３つの連続した番号で一つのラベル本体５として管理されている。
ステップＳ０４にて、各ラベル片２、３、４に対する読取り／書込みが完了したか否か判定する。第一ないし第三のラベル片２、３、４の全てに対する読取り／書込みが完了した場合は、ステップＳ０５にて、図示省略の「情報書込みフラグ」（図示省略）をＯＮにする。この「フラグ」は、制御部２９に設けられた図示省略のＲＡＭ（ｒａｎｄｏｍ  ａｃｃｅｓｓ  ｍｅｍｏｒｙ）に記憶される。
一方、ステップＳ０４にて、第一ないし第三のラベル片２、３、４のうち、一つでも読込み／書込みができなかったと判定された場合は、ステップＳ０６にて、「情報書込みフラグ」（図示省略）をＯＦＦにする。
ステップＳ０７にて、ラベル本体５を印字部２３に位置決めし、ステップＳ０８にて「情報書込みフラグ」（図示省略）がＯＮか否かを判定し、ＯＮ、すなわち、第一ないし第三のラベル片２、３、４の全てのＲＦＩＤ８に同じ所望情報が書込まれていた場合は、ステップＳ０９にて、書込んだ所望情報と同様の内容を、サーマルヘッド３０およびインクリボン３４を介して各ラベル片２、３、４の表面に印字する。
一方、ステップＳ０８にて、「情報書込みフラグ」（図示省略）がＯＦＦ、すなわち、一ないし第三のラベル片２、３、４のうち、一つでも読込み／書込みができていなかった場合は、ステップＳ１０にて、サーマルヘッド３０およびインクリボン３４を介してラベル本体５に図示省略の「使用不可マーク」を印字する。
ステップＳ１１にて、ラベル本体５を剥離する。すなわち、ＲＦＩＤ連続体１を剥離板２４まで搬送し、ラベル本体５の後端の一部を剥離板２４上に載せた状態で発行する。
【００１４】
なお、剥離板２４に剥離・発行されたラベル本体５は、手で剥がすなどしてから折れ線１０に沿って折り曲げて物品の角（コーナー）に貼り付ける。第一ないし第三のラベル片２、３、４は、各々独立してＲＦＩＤ８を備えているので、折れ線１０に沿って折り曲げてもアンテナ７が断線する心配はない。
図６は、物品としての段ボール６０に、ラベル本体５が貼り付けられた状態を示す概略斜視説明図であり、角貼りされたラベル本体５は、第一ないし第三のラベル片２、３、４が上面と側面の二面に表示されるため、例えば携帯型の読取り装置（図示省略）にて情報を読み取るような場合、角（コーナー）に読取り装置を近づけるだけで、段ボール６０を回転したり、あるいは転がしたりしないで済むので作業が楽であるばかりか、定置型の読取り装置を使った場合、三方向より読み取りが可能なため、読み取りの方向性が拡大するものである。
【００１５】
次に、主に、図７に基づき、他の実施の形態につき説明する。
なお、以下において、先の実施の形態と同様の部分は同一符号を付すに止め、詳説を省略する。
同図は、搬送路３９に配設された書込み装置７０にＲＦＩＤ連続体１のラベル本体５が位置決めされた状態を示す図４相当の平面説明図である。
書込み装置７０には、平面の中央部位にアンテナ７１が設けられており、このアンテナ７１は、ラベル本体５全体に電磁波が行き渡る交信範囲の広いものとしてある。
書き込み装置７０にラベル本体５が位置決めされると、アンテナ７１が各ラベル片２、３、４のＩＣチップ６から図示省略の固有識別情報を読込み、読込めたラベル片２、３、４に対し所望の情報を書込むものであり、交信範囲の広いアンテナ７１により一括して同一情報の書込みができるため、部品点数が少なくて済む。
また、先の実施の形態のように、「ラベル片」が存在しない箇所のアンテナ４１ｄを不作動にするなどの指定が不要なため、その分操作が容易となる。
なお、ラベル片２、３、４の固有識別情報（図示省略）は、同一の固有番号＋枝番とされており、ひとつでも読込み／書込みができなかった場合、ラベル本体５に「使用不可マーク」を印字する点は、先の実施の形態と同様である。
その他の構成、作用、効果については、先の実施の形態とほぼ同様につき詳説を省略する。
【００１６】
なお、上記実施の形態の構成及び動作は例であって、本発明の趣旨を逸脱しない範囲で適宜変更することができることは言うまでもない。
【００１７】
例えば、書込み装置２８は、アンテナ設置部４０が、縦２×横２の計４個形成された例で説明したがこれに限定されないことは勿論であり、ＲＦＩＤ連続体１の幅方向（搬送方向Ｆに交差する方向）に２つ設け、最初に片側の「アンテナ」のみを作動して第二のラベル片３の読込み／書込みを行い、次いで、搬送して第一および第三のラベル片２、４を位置決めしてこれに読込み／書込みを行うようにしてもよい。
【００１８】
また、書込み装置２８は、説明の都合上、アンテナ４１がアンテナ設置部４０の浅い穴底に設けられた例で説明したがこれに限定されないことは勿論であり、書込み装置２８の表面にアンテナ４１（４１ａ〜４１ｄ）を配設し、各々のアンテナ４１ａ〜４１ｄを区画する衝立状の「シールド部材」を設けるようにしてもよい。
【図面の簡単な説明】
【００１９】
【図１】本発明のＲＦＩＤ連続体を示す平面の概略説明図である。
【図２】同、印字発行装置を側面より見た概略説明図である。
【図３】同、書込み装置の概略斜視説明図である。
【図４】同、図３中、矢示ＩＶ方向より見た平面説明図である。
【図５】同、印字発行装置の作動状態を示すフローチャートである。
【図６】同、物品にラベル本体が貼付けられた状態を示す概略斜視説明図である。
【図７】他の実施の形態を示す図４相当の側面の平面説明図である。
【符号の説明】
【００２０】
Ｆ    搬送方向
１    ＲＦＩＤ連続体
２    第一のラベル片
３    第二のラベル片
４    第三のラベル片
５    ラベル本体
６    ＩＣチップ
７    アンテナ
８    ＲＦＩＤ
９    台紙
１０  折れ線
１１  識別マーク
２１  印字発行装置
２２  供給軸
２３  印字部
２４  剥離版
２５  台紙巻取り部
２６  インクリボン部
２７  位置検出センサ
２８  書込み装置
２９  制御部
３０  サーマルヘッド
３１  プラテン
３２  リボン供給部
３３  リボン巻取り部
３４  インクリボン
３５、３６、３７、３８、４５  ガイドピン
３９  搬送路
４０  アンテナ設置部
４１、４１ａ、４１ｂ、４１ｃ、４１ｄ  アンテナ
５０  ベルト
５１  ステッピングモータ
６０  物品（段ボール）
７０  書込み装置（他の実施の形態）
７１  アンテナ
【図１】
0004815230.tif 000002
【図２】
0004815230.tif 000003
【図３】
0004815230.tif 000004
【図４】
0004815230.tif 000005
【図５】
0004815230.tif 000006
【図６】
0004815230.tif 000007
【図７】
0004815230.tif 000008